(57)【要約】【課題】  単一の化粧用塗布具で通常使用・細部使用・アイラインのメイクアップを可能にすることにある。【解決手段】  化粧用塗布具１０は、樹脂成形コームタイプのアプリケータ本体１２と樹脂製フロッキーチップ１４とが一体となって構成され、アプリケータ本体１２には、通常使用のメイクアップに用いられる塗布部２０、２２が形成され、アプリケータ本体１２に先端に固定されたフロッキーチップ１４には、細部の仕上げやアイラインのメイクアップに用いられる塗布部３４が形成されている。塗布部２０、２２を通常使用のメイクアップに用いることで、ボリューム感・セパレート感・整え感を得ることができ、フロッキーチップ１４を目じり・下睫毛などのメイクアップやアイラインのメイクアップに用いることができる。【選択図】図１
0003129150.tif 000002
【実用新案登録請求の範囲】
【請求項１】
通常使用の塗布部を有する成形アプリケータ本体の先端に、細部使用とアイラインの塗布部を有するフロッキーチップを一体に取り付けてなる化粧用塗布具。
【考案の詳細な説明】
【技術分野】
【０００１】
本考案は、睫毛や眉毛をメイクアップするための化粧用塗布具に関する。
【背景技術】
【０００２】
睫毛および眉毛をメイクアップするときに使用するアプリケータ（塗布具）としては、主に、樹脂繊維を針金で撚った刷子タイプ、樹脂で成形された櫛状のコームタイプ、樹脂繊維を一列に整列し、中心に折り曲げることで二列にした、歯ブラシ状のコームタイプ、樹脂で成形されて、螺旋状の段差が付いたコイルタイプのものがある。
【０００３】
コームタイプやコイルタイプの樹脂製アプリケータは、樹脂成形品であるため、一つのコーム軸に多種の形状を備えることができ、その形状の分だけ、使用感などの効果を得ることができるとともに、刷子タイプのものでは得られないボリューム感やセパレート感などの効果を得ることができる。しかし、細部や仕上げに使用する場合は、最低肉厚、ピッチなどの製造上の制約から繊細さに欠けるため、比較的不向きである。そのため、中身の入るボトルを２つ備え、通常使用と細部使用の２種類のアプリケータを備えた両端マスカラが用いられているが、ユーザーによっては、通常使用と細部使用の２種類の製品を別々に購入して使用している場合もある。
【０００４】
この他に、一つのコーム軸に異なる２種類の用途を備えた化粧用アプリケータも提案されている。例えば、
（１）樹脂成形アプリケータの先端に、刷子タイプのアプリケータを備えたもの（実開昭６１−１９４４１８号公報参照）、
（２）樹脂成形アプリケータの先端に、筆を備えたもの（実開昭６１−３５６１７号公報参照）、
（３）刷子タイプのアプリケータの先端に、フロッキーチップを備えたもの（特開２００５−８７６３５号公報参照）、
（４）刷子タイプまたは成形品と考えられるアプリケータの先端に、軟質材（フェルトゴム・スポンジゴム・スポンジ状軟質プラスチック）などで形成された部材を備えたもの（特開昭５６−８０２０８号公報参照）がある。
【考案の開示】
【考案が解決しようとする課題】
【０００５】
両端マスカラを用いる場合には、２つの製品を使い分ける必要がある。具体的には、中身の入るボトルを２つ備え、２種類のアプリケータを備えた製品を使用する場合、アプリケータを変える際に、一方のアプリケータを容器に収納した後に、持つ手を換えて、もう一方のアプリケータを容器から取り出して使用する必要があるため、通常使用のアプリケータと細部使用のアプリケータを切換えるたびに、この一連の動作を繰り返さなければならない。さらに、２種類のアプリケータを軸の両端に備えているので、それぞれのアプリケータに対して、軸とボトルを持つ必要があり、製品コストが高くなる。しかも、ユーザーにとっては、通常使用と細部使用の２製品を所有することが余儀なくされるので、前品同様に手間がかかる上に、携帯に不便である。
【０００６】
一方、一つのコーム軸に異なる２種類の用途を備えた化粧用アプリケータのうち、
（１）のものは、通常使用および細部使用として用いることはできるが、目じりなどにラインを描くことができない。
（２）のものは、通常使用に用いたり、目じりを描いたりすることはできるが、細部使用（仕上げ）に用いることができない。
（３）のものは、成形アプリケータ特有のボリューム感やセパレート感を得ることができない。
（４）のものは、目じりなどにラインを描くことはできるが、細部使用（仕上げ）の効果は期待できない。
【０００７】
そこで、本考案は、単一の化粧用塗布具で通常使用・細部使用・アイラインのメイクアップを可能にすることにある。
【課題を解決するための手段】
【０００８】
前記課題を解決するために、本考案は、通常使用の塗布部を有する成形アプリケータ本体の先端に、細部使用とアイラインの塗布部を有するフロッキーチップを取り付けて一体化したものである。
【０００９】
上記構成によれば、両端マスカラや２製品を使い分けるときの課題である、作業性・製品コスト・携帯性を克服すると同時に、成形アプリケータ特有の効果である、ボリューム感・セパレート感・整え感を得ることができ、また、先端のフロッキーチップを使用することで、細部の仕上げである、目じり・下睫毛などに使用でき、更にはアイラインとしても使用することができる。
【００１０】
つまり、通常使用の成形アプリケータとフロッキーチップを同軸上に持たせることで、通常使用・細部使用・アイラインのメイクアップに用いることができる。
【００１１】
また、成形アプリケータは２種類以上の形状を持たせることが可能であるため、使用目的や好みにより、異なる製品を購入する必要がなく、一度に多種の使用感を得ることが可能である。
【考案の効果】
【００１２】
本考案によれば、成形アプリケータ本体を使用することで、ボリューム感・セパレート感・整え感を得ることができ、フロッキーチップを、目じり・下睫毛などの細部に使用でき、更にはアイラインとしても使用することができる。
【考案を実施するための最良の形態】
【００１３】
以下、本考案の一実施例を図面に基づいて説明する。図１は、本考案の第１実施例を示す図であって、（ａ）は、化粧用塗布具の正面図、（ｂ）は、化粧用塗布具の底面図、（ｃ）は、化粧用塗布具の断面図、図２は、本考案の第１実施例を示す図であって、（ａ）は、化粧用塗布具をフロッキーチップとアプリケータ本体に分解した状態を示す正面図、（ｂ）は、同じく底面図、（ｃ）は、同じく断面図、図３は、本考案の第２実施例を示す図であって、（ａ）は、化粧用塗布具の正面図、（ｂ）は、化粧用塗布具の底面図、（ｃ）は、化粧用塗布具の断面図、図４は、本考案の第２実施例を示す図であって、（ａ）は、化粧用塗布具をフロッキーチップとアプリケータ本体に分解した状態を示す正面図、（ｂ）は、同じく底面図、（ｃ）は、同じく断面図、図５は、本考案の第３実施例を示す図であって、（ａ）は、化粧用塗布具の正面図、（ｂ）は、化粧用塗布具の断面図、図６は、本考案の第３実施例を示す図であって、（ａ）は、化粧用塗布具をフロッキーチップとアプリケータ本体に分解した状態を示す正面図、（ｂ）は、同じく断面図、図７は、本考案の第４実施例を示す図であって、（ａ）は、化粧用塗布具の正面図、（ｂ）は、化粧用塗布具の断面図、図８は、本考案の第４実施例を示す図であって、（ａ）は、化粧用塗布具をフロッキーチップとアプリケータ本体に分解した状態を示す正面図、（ｂ）は、同じく断面図、図９は、本考案の第５実施例を示す図であって、（ａ）は、化粧用塗布具の正面図、（ｂ）は、化粧用塗布具の断面図、図１０は、本考案の第５実施例を示す図であって、（ａ）は、化粧用塗布具をフロッキーチップとアプリケータ本体に分解した状態を示す正面図、（ｂ）は、同じく断面図、（ｃ）は、同じくＡ−Ａ線に沿う断面図である。
【００１４】
図１および図２において、化粧用塗布具１０は、樹脂成形コームタイプのアプリケータ本体１２と樹脂製フロッキーチップ１４を備えて構成されている。アプリケータ本体１２は、略円柱状に形成されたコーム軸１６を備えており、コーム軸１６の一端側は、把持部１８として構成され、他端側は、通常使用のメイクアップに用いられる塗布部２０、２２として構成されている。塗布部２０、２２は、コーム軸１６の他端側（先端側）に形成された平坦部２４を間にしてその両側に分かれて形成されている。塗布部２０は、複数の櫛刃２６を備え、各櫛刃２６が一定の間隔を保って配置されている。塗布部２２は、塗布部２０とは形状の異なる塗布部として、波形の櫛刃２８を複数個備え、各櫛刃２８が一体となって配置されている。アプリケータ本体１２の軸方向一端側には、円形の取り付け穴３０がコーム軸１６の軸方向端面から中程に沿って形成されている。
【００１５】
一方、フロッキーチップ１４は、円柱状の軸３２と塗布部３４を備えて構成されている。軸３２は、その軸方向一端側が挿入部として、アプリケータ本体１２の取り付け穴３０に嵌合可能に形成されており、軸方向他端側に塗布部３４が植設されている。塗布部３４は、軸３２の一部をその軸方向に沿って囲むように、静電植毛されており、複数の繊維が径方向に沿って植設されている。このフロッキーチップ１４は、その軸方向一端側が、アプリケータ本体１２の取り付け穴３０に圧入されることで、アプリケータ本体１２の先端に一体となって固定されるようになっている。この場合、取り付け穴３０内に接着剤を塗布することで、フロッキーチップ１４は、アプリケータ本体１２の先端に強固に固定される。
【００１６】
本実施例によれば、アプリケータ本体１２先端の取り付け穴３０にフロッキーチップ１４の一端側を圧入することで、化粧用塗布具１０を構成することができ、作業性・携帯性を高めることができるとともに、製品コストの低減を図ることができる。
【００１７】
また、本実施例によれば、アプリケータ本体１２の塗布部２０、２２を通常使用のメイクアップに用いることで、ボリューム感・セパレート感・整え感を得ることができ、フロッキーチップ１４を細部の仕上げである、目じり・下睫毛などのメイクアップに使用できるとともに、アイラインのメイクアップに用いることができる。
【００１８】
次に、本考案の第２実施例を図３および図４に従って説明する。本実施例における化粧用塗布具１０ａは、フロッキーチップ１４を小型化して、フロッキーチップ１４の軸３２よりも軸方向の長さが短い軸３２ａを有するフロッキーチップ１４ａを構成し、アプリケータ本体１２の代わりにアプリケータ本体１２ａを構成したものであり、他の構成は、第１実施例を同様である。
【００１９】
具体的には、アプリケータ本体１２ａは、塗布部２０、２２よりも軸方向における長さが短い塗布部２０ａ、２２ａを備え、アプリケータ本体１２ａの先端側に円形の支持部３８が形成され、支持部３８に、取り付け穴３０よりも軸方向の長さが短い取り付け穴３０ａが形成されている。そして、支持部３８の取り付け穴３０ａに、フロッキーチップ１４ａの軸３２ａの軸方向一端側が圧入され、接着剤を塗布、又は支持部３８を機械的にカシメることで、フロッキーチップ１４ａとアプリケータ本体１２ａが固定される。
【００２０】
本実施例によれば、第１実施例のものと同様の効果を奏することができるとともに、第１実施例のものよりも小型化を図ることができる。
【００２１】
次に、本考案の第３実施例を図５および図６に従って説明する。本実施例における化粧用塗布具４０は、アプリケータ本体１２の代わりに、樹脂成形コイルタイプのアプリケータ本体４２を用いたものであり、フロッキーチップ１４は、第１実施例のものと同様である。
【００２２】
アプリケータ本体４２は、略円柱状に形成されたコーム軸４４を備えており、コーム軸４４の一端側は、把持部４６として構成され、他端側は、通常使用のメイクアップに用いられる塗布部４８、５０として構成されている。塗布部４８、５０は、コーム軸４４の他端側（先端側）に形成された平坦部５２を間にしてその両側に分かれて形成されている。塗布部４８は、波形の櫛刃５４を複数個備え、各櫛刃５４が軸方向に沿って一体となって配置されている。塗布部５０は、塗布部４８とは形状の異なる塗布部として、波形の櫛刃５６を複数個備え、各櫛刃５６が軸方向に沿って一体となって配置されている。アプリケータ本体４２の軸方向一端側には、円形の取り付け穴５８がコーム軸４４の軸方向端面から中程に沿って形成されている。取り付け穴５８には、フロッキーチップ１４の軸３２の軸方向一端側が圧入されている。この場合、取り付け穴５８内に接着剤を塗布することで、フロッキーチップ１４は、アプリケータ本体４２の先端に強固に固定される。
【００２３】
本実施例によれば、アプリケータ本体４２先端の取り付け穴５８にフロッキーチップ１４の軸３２の一端側を圧入することで、化粧用塗布具４０を構成することができ、作業性・携帯性を高めることができるとともに、製品コストの低減を図ることができる。
【００２４】
また、本実施例によれば、アプリケータ本体４２の塗布部４８、５０を通常使用のメイクアップに用いることで、ボリューム感・セパレート感・整え感を得ることができ、フロッキーチップ１４を細部の仕上げである、目じり・下睫毛などのメイクアップに使用できるとともに、アイラインのメイクアップに用いることができる。
【００２５】
次に、本考案の第４実施例を図７および図８に従って説明する。本実施例における化粧用塗布具４０ａは、フロッキーチップ１４を小型化して、フロッキーチップ１４の軸３２よりも軸方向の長さが短い軸３２ａを有するフロッキーチップ１４ａを構成し、アプリケータ本体４２の代わりにアプリケータ本体４２ａを構成したものであり、他の構成は、第３実施例を同様である。
【００２６】
具体的には、アプリケータ本体４２ａは、塗布部４８、５０よりも軸方向における長さが短い塗布部４８ａ、５０ａを備え、アプリケータ本体４２ａの先端側に円形の支持部６０が形成され、支持部６０に、取り付け穴５８よりも軸方向の長さが短い取り付け穴５８ａが形成されている。そして、支持部６０の取り付け穴５８ａにフロッキーチップ１４ａの軸３２ａの軸方向一端側が圧入され、接着剤を塗布、又は支持部３８を機械的にカシメることで、フロッキーチップ１４ａとアプリケータ本体１２ａが固定される。
【００２７】
本実施例によれば、第３実施例のものと同様の効果を奏することができるとともに、第３実施例のものよりも小型化を図ることができる。
【００２８】
次に、本考案の第５実施例を図９および図１０に従って説明する。本実施例における化粧用塗布具６２は、アプリケータ本体１２の代わりに、樹脂成形マスカラタイプのアプリケータ本体６４を用いたものであり、フロッキーチップ１４は、第１実施例のものと同様である。
【００２９】
アプリケータ本体６４は、略円柱状に形成されたコーム軸６６を備えており、コーム軸６６の一端側は、把持部６８として構成され、他端側は、通常使用のメイクアップに用いられる塗布部７０、７２と、フロッキーチップ１４を支持するための支持部７４として構成されている。塗布部７０、７２は、把持部６８と支持部７４との間に形成された平坦部７６を間にしてその両側に分かれて形成されている。塗布部７０は、放射状部７８を複数個備え、各放射状部７８が軸方向に沿って一定の間隔を保って配置されている。塗布部７２は、塗布部７０とは形状の異なる塗布部として、放射状部８０を複数個備え、各放射状部８０が、放射状部７８よりも狭い間隔で軸方向に沿って配置されている。支持部７４には、円形の取り付け穴８２が軸方向端面から中程に沿って形成されている。取り付け穴８２には、フロッキーチップ１４の軸３２の軸方向一端側が圧入されている。この場合、取り付け穴８２内に接着剤を塗布又は機械的にカシメることで、フロッキーチップ１４は、アプリケータ本体６４の先端に強固に固定される。
【００３０】
本実施例によれば、アプリケータ本体６４先端の取り付け穴８２にフロッキーチップ１４の軸３２の一端側を圧入することで、化粧用塗布具６２を構成することができ、作業性・携帯性を高めることができるとともに、製品コストの低減を図ることができる。
【００３１】
また、本実施例によれば、アプリケータ本体６４の塗布部７０、７２を通常使用のメイクアップに用いることで、ボリューム感・セパレート感・整え感を得ることができ、フロッキーチップ１４を細部の仕上げである、目じり・下睫毛などのメイクアップに使用できるとともに、アイラインのメイクアップに用いることができる。
【図面の簡単な説明】
【００３２】
【図１】本考案の第１実施例を示す図であって、（ａ）は、化粧用塗布具の正面図、（ｂ）は、化粧用塗布具の底面図、（ｃ）は、化粧用塗布具の断面図である。
【図２】本考案の第１実施例を示す図であって、（ａ）は、化粧用塗布具をフロッキーチップとアプリケータ本体に分解した状態を示す正面図、（ｂ）は、同じく底面図、（ｃ）は、同じく断面図である。
【図３】本考案の第２実施例を示す図であって、（ａ）は、化粧用塗布具の正面図、（ｂ）は、化粧用塗布具の底面図、（ｃ）は、化粧用塗布具の断面図である。
【図４】本考案の第２実施例を示す図であって、（ａ）は、化粧用塗布具をフロッキーチップとアプリケータ本体に分解した状態を示す正面図、（ｂ）は、同じく底面図、（ｃ）は、同じく断面図である。
【図５】本考案の第３実施例を示す図であって、（ａ）は、化粧用塗布具の正面図、（ｂ）は、化粧用塗布具の断面図である。
【図６】本考案の第３実施例を示す図であって、（ａ）は、化粧用塗布具をフロッキーチップとアプリケータ本体に分解した状態を示す正面図、（ｂ）は、同じく断面図である。
【図７】本考案の第４実施例を示す図であって、（ａ）は、化粧用塗布具の正面図、（ｂ）は、化粧用塗布具の断面図である。
【図８】本考案の第４実施例を示す図であって、（ａ）は、化粧用塗布具をフロッキーチップとアプリケータ本体に分解した状態を示す正面図、（ｂ）は、同じく断面図である。
【図９】本考案の第５実施例を示す図であって、（ａ）は、化粧用塗布具の正面図、（ｂ）は、化粧用塗布具の断面図である。
【図１０】本考案の第５実施例を示す図であって、（ａ）は、化粧用塗布具をフロッキーチップとアプリケータ本体に分解した状態を示す正面図、（ｂ）は、同じく断面図、（ｃ）は、同じくＡ−Ａ線に沿う断面図である。
【符号の説明】
【００３３】
１０、１０ａ  化粧用塗布具
１２、１２ａ  アプリケータ本体
１４、１４ａ  フロッキーチップ
１６  コーム軸
２０、２０ａ、２２、２２ａ  塗布部  
３０、３０ａ  取り付け穴
３２、３２ａ  軸
３４  塗布部  
４０、４０ａ  化粧用塗布具
４２、４２ａ  アプリケータ本体
４４  コーム軸
４８、４８ａ、５０、５０ａ  塗布部
５８、５８ａ  取り付け穴
６２  化粧用塗布具
６４  アプリケータ本体
６６  コーム軸
７０、７２  塗布部
８２  取り付け穴
【図１】
0003129150.tif 000003
【図２】
0003129150.tif 000004
【図３】
0003129150.tif 000005
【図４】
0003129150.tif 000006
【図５】
0003129150.tif 000007
【図６】
0003129150.tif 000008
【図７】
0003129150.tif 000009
【図８】
0003129150.tif 000010
【図９】
0003129150.tif 000011
【図１０】
0003129150.tif 000012